(57)【要約】      （修正有）【課題】雨水の収納排水能力を維持しつつ、路面でのグレーチング格子枠巾を広げることもなく、グレーチング長尺材の本数も極力少なくして歩行者の違和感を損なわない様にし、グレーチング格子枠の着脱をボルト、ナットに頼らないＵ字型排水溝体を提供する。【解決手段】路面下に埋設されるＵ字型排水溝体１と、亜鉛メッキ等の防錆処理を施された一定長さで、長手方向の両端面に側板を溶接して構成された金属製中間フレーム３と、溶接して直立したステンレス製の左右グレーチング長尺材７と、金属製中間フレーム３の両端面の側板間に載置する取外し用グレーチング格子枠と、取外し用グレーチング格子枠の最側両端の格子片に、格子片の少なくとも横巾となる複数本の中間グレーチング長尺材間に跨る横幅を有するバネ板にて形成された挿入金片１２を夫々固定し、取り外す際は、取外し用具にて格子片を引き上げて挿入金片を受金片から離脱させる。【選択図】図３
2013181386.tif 000002
【特許請求の範囲】
【請求項１】
路面下に埋設されるＵ字型排水溝体と、
該Ｕ字型排水溝体の上端開口部に着座して閉塞すると共に、タイル、レンガ等の道路表面材を支承する天板であって、而も該天板には雨水流入路を形成する小巾の左右縦片を有すると共に、亜鉛メッキ等の防錆処理を施された一定長さで、而も長手方向の両端面に側板を溶接して構成された金属製中間フレームと、
更に該金属製中間フレームの左右縦片には全長に亘って前記道路表面材と略同一面となる様、溶接して直立したステンレス製の左右グレーチング長尺材と、
この左右グレーチング長尺材間に平行対面して雨水流路を形成する複数本の中間グレーチング長尺材及び該中間グレーチング長尺材を一定間隔にて保持する様、溶接した複数個の格子片にて構成されると共に、前記金属製中間フレームの両端面の側板間に載置する取外し用グレーチング格子枠と、
更に前記金属製中間フレームの両端面の側板にバネ板にて形成された受金片を固定し、前記取外し用グレーチング格子枠の最側両端の格子片に、該格子片の少なくとも横巾となる複数本の中間グレーチング長尺材間に跨る横幅を有するバネ板にて形成された挿入金片を夫々固定し、
前記取外し用グレーチング格子枠を前記金属製中間フレームの両端面の側板間に位置させて押し下げると共に、前記格子片の挿入金片を側板の受金片に圧入させて取外し用グレーチング格子枠を金属製中間フレームの両端面の側板に載置させ、
且つ取り外す際は、取外し用具にて前記格子片を引き上げて挿入金片を受金片から離脱させる様にしたことを特徴とする路上排水溝装置。
【請求項２】
前記金属製中間フレームは、天板の中央に雨水流入路を形成する様、左右縦片を中央に直立させたことを特徴とする請求項２記載の路上排水溝装置。
【請求項３】
前記金属製中間フレームは、両端面の側板に止鋲にて受金片を固定したことを特徴とする請求項１〜２のいずれか１記載の路上排水溝装置。
【請求項４】
前記金属製中間フレームは、最側両端の格子片に係合小孔を、且つ受金片に舌子を夫々設けて該舌子を係合小孔に巻付けたことを特徴とする請求項１〜２のいずれか１記載の路上排水溝装置。
【請求項５】
前記取外し用グレーチング格子枠は、最側両端の格子片に係合小孔を、且挿入金片に舌子を夫々設けて該舌子を係合小孔に巻付けたことを特徴とする請求項１〜２のいずれか１記載の路上排水溝装置。
【請求項６】
第１製造工程ブロックは、路面下に埋設されるＵ字型排水溝体の上端開口部に着座して閉塞すると共に、タイル、レンガ等の道路表面材を支承する亜鉛メッキ等の防錆処理を施された一定長さの天板及びこの天板から直立して雨水流入路を形成する小巾の左右縦片と、この左右縦片の上端に夫々溶接して直立するステンレス製の左右グレーチング長尺材とより成り、
第２製造工程ブロックは、第１製造工程ブロックにおける天板の長手方向の両端面に位置して該天板の小巾の左右縦片と溶接される側板と、更に該側板に固定したバネ板にて形成された受金片とより成り、
第３製造ブロックは、第１製造工程ブロックのステンレス製の左右グレーチング長尺材間に平行対面して雨水流路を形成する複数本の中間グレーチング長尺材と、該中間グレーチング長尺材を一定間隔にて保持する様、溶接する複数個の格子片と、更に該格子片に固定される共に、第２製造工程ブロックの受金片に圧入するバネ板にて形成された挿入金片とより成ることを特徴とする路上排水溝装置の製造方法。
【発明の詳細な説明】
【技術分野】
【０００１】  本発明は、路上の側溝、更には建物入口に敷設される雨水等の排水溝装置に関する。
【背景技術】
【０００２】  近時、オフィス街においては歩道に溢れた雨水が建物内に流れ込むのを防ぐために排水溝が敷設されている。
この排水溝装置は、コンクリート製のＵ字型排水溝体を路面下に埋設し、このＵ字型排水溝体の上端開口部に雨水流入路を確保する長方形の金属製中間フレームを載置し、更にこの金属製中間フレームの全長に亘って複数本のステンレス製のグレーチング長尺材より成るグレーチング格子枠を載置させ、路面とほぼ同一面に仕上げている。
ところで、この路面下のＵ字型排水溝体は雨水の収納排水能力を考慮し、極力巾広のものを採用する。【０００３】  それに相応して、当然にグレーチング格子枠も巾広となり、グレーチング長尺材の本数を多くするか、或いは間隔を広くとることが窺える。
この本数を多くすること、更に間隔を広くすることについては、今日の社会には適しない。
即ち、オフィス街においては、車道等の排水と同一視できず、グレーチング格子枠の巾を広くすると、オフィス街における女性、特にスカートの女性が意識して歩幅を広くとることともなって、敬遠される。
また、グレーチング長尺材の間隔を広くとると、ハイヒールの踵がグレーチング長尺材間に落込まない様、歩幅を意識調整する不自然な歩行をすることとなる。【０００４】  上記の課題に対応する様、出願人は特許文献１に示す内容の発明を成した。
即ち、Ｕ字型排水溝体の上端開口部に着座する金属製中間フレームの天板に小巾の左右縦片を直立させ、この左右縦片にステンレス製の左右グレーチング長尺材を溶接して直立させて、該左右グレーチング長尺材と天板との間にはタイル、レンガ等の道路表面材を敷設仕上げている。
これにより、路面下のＵ字型排水溝体は雨水の収納排水能力を維持しつつ、路面でのグレーチング格子枠巾を広げることなく、而もグレーチング長尺材の本数も極力少なくし、歩行者の違和感を損なわない様にしている。
而して、このグレーチング格子枠からＵ字型排水溝体内に硬貨、キーホルダー等の小物の落とし、更には一時的に清掃等に際し、グレーチング格子枠を取り外す必要性が伴う。【０００５】  然しながら、特許文献２の如く、オフィス街を全く考慮しない車道等に近接する排水装置であると、グレーチング格子枠の横巾を広く採れることから、ボルト、ナットによるネジ締めの着脱が可能ではあるが、グレーチング格子枠の横巾が狭い、上記の特許文献１については同一視できない所以である。
【特許文献１】  特許第４８１１６８８号
【特許文献２】  特開２００９−９７３１１号
【発明の開示】
【発明が解決しようとする課題】
【０００６】路面下のＵ字型排水溝体は雨水の収納排水能力を維持しつつ、路面でのグレーチング格子枠巾を広げることもなく、而もグレーチング長尺材の本数も極力少なくして歩行者の違和感を損なわない様にし、それに伴うグレーチング格子枠の着脱をボルト、ナットに頼ることの難易性を解決する。
【問題を解決するための手段】
【０００７】  本発明は、路面下に埋設されるＵ字型排水溝体と、
該Ｕ字型排水溝体の上端開口部に着座して閉塞すると共に、タイル、レンガ等の道路表面材を支承する天板であって、而も該天板には雨水流入路を形成する小巾の左右縦片を有すると共に、亜鉛メッキ等の防錆処理を施された一定長さで、而も長手方向の両端面に側板を溶接して構成された金属製中間フレームと、
更に該金属製中間フレームの左右縦片には全長に亘って前記道路表面材と略同一面となる様、溶接して直立したステンレス製の左右グレーチング長尺材と、
この左右グレーチング長尺材間に平行対面して雨水流路を形成する複数本の中間グレーチング長尺材及び該中間グレーチング長尺材を一定間隔にて保持する様、溶接した複数個の格子片にて構成されると共に、前記金属製中間フレームの両端面の側板間に載置する取外し用グレーチング格子枠と、
更に前記金属製中間フレームの両端面の側板にバネ板にて形成された受金片を固定し、前記取外し用グレーチング格子枠の最側両端の格子片に、該格子片の少なくとも横巾となる複数本の中間グレーチング長尺材間に跨る横幅を有するバネ板にて形成された挿入金片を固定し、
前記取外し用グレーチング格子枠を前記金属製中間フレームの両端面の側板間に位置させて押し下げると共に、前記格子片の挿入金片を側板の受金片に圧入させて取外し用グレーチング格子枠を金属製中間フレームの両端面の側板に載置させ、
且つ取り外す際は、取外し用具にて前記格子片を引き上げて挿入金片を受金片から離脱させる様にしたことを特徴とするものである。
【０００８】  更に本発明は、金属製中間フレームは、天板の中央に雨水流入路を形成する様、左右縦片を中央に直立させたことを特徴とするものである。
【０００９】  更に本発明は、金属製中間フレームは、両端面の側板に止鋲にて受金片を固定したことを特徴とするものである。
【００１０】  又本発明は、金属製中間フレームは、最側両端の格子片に係合小孔を、且つ受金片に舌子を夫々設けて該舌子を係合小孔に巻付けたことを特徴とするものである。
【００１１】  又本発明は、取外し用グレーチング格子枠は、最側両端の格子片に係合小孔を、且挿入金片に舌子を夫々設けて該舌子を係合小孔に巻付けたことを特徴とするものである。
【００１２】  更に本発明は、第１製造工程ブロックは、路面下に埋設されるＵ字型排水溝体の上端開口部に着座して閉塞すると共に、タイル、レンガ等の道路表面材を支承する亜鉛メッキ等の防錆処理を施された一定長さの天板及びこの天板から直立して雨水流入路を形成する小巾の左右縦片と、この左右縦片の上端に夫々溶接して直立するステンレス製の左右グレーチング長尺材とより成り、
第２製造工程ブロックは、第１製造工程ブロックにおける天板の長手方向の両端面に位置して該天板の小巾の左右縦片と溶接される側板と、更に該側板に固定したバネ板にて形成された受金片とより成り、
第３製造ブロックは、第１製造工程ブロックのステンレス製の左右グレーチング長尺材間に平行対面して雨水流路を形成する複数本の中間グレーチング長尺材と、該中間グレーチング長尺材を一定間隔にて保持する様、溶接する複数個の格子片と、更に該格子片に固定される共に、第２製造工程ブロックの受金片に圧入するバネ板にて形成された挿入金片とより成ることを特徴とするものである。
【発明の効果】
【００１３】（１）請求項１により、路面下のＵ字型排水溝体は雨水の収納排水能力を維持しつつ、路面でのグレーチング格子枠巾を広げることもなく、而もグレーチング長尺材の本数も極力少なくして歩行者の違和感を損なわず、且つグレーチング格子枠の着脱は、取外し用グレーチング格子枠の両端格子片の挿入金片を、金属製中間フレームの両端面側板の受金片に圧入、更には引上げて行うから、グレーチング格子枠の横巾を広く採れない課題が解決できる。
更に挿入金片は、特に狭い巾のグレーチング格子枠内において、少なくとも２本以上の中間グレーチング長尺材間に跨った格子片の巾と、同じ巾とすることができ、１本の中間グレーチング長尺材に直接挿入金片を固定するものに比し、ぐら付きなく固定できる。
又、Ｕ字型排水溝体内の落下物、清掃等におけるグレーチング格子枠の取外は、格子片を取外し用具にて引き上げることにより、挿入金片を直接引掛けることによるバネ性を損なうこともなく、ボルト等によるネジ締めに比し、操作が簡単である。
【００１４】（２）請求項４及び５により、挿入金片及び受金片を簡単に格子片及び金属製中間フレームに固定できる。
【００１５】（３）請求項６により、予め所定のブロック毎に工場にて製造でき、現場での溶接、組立施工を極力軽減することができる。
【図面の簡単な説明】
【００１６】
【図１】路上排水溝装置の平面図
【図２】同上の断面側面図
【図３】同上の分解斜視図
【図４】同上の拡大部分分解斜視図
【図５】同上の異なる実施例を示す分解斜視図
【図６】中間グレーチング長尺材の取付状態図
【図７】同上の引外し状態図
【発明を実施するための最良の形態】
【００１７】  以下本発明を実施形態の図面に基づいて説明する。
図１は路上排水溝装置の平面図、図２は断面側面図であって、路面Ｈの下に埋設されるＵ字型排水溝体１と、このＵ字型排水溝体１の上端開口部２には雨水流入路Ｒを形成する様、金属製中間フレーム３が着座して閉塞する。
具体的には、Ｕ字型排水溝体１を、合成樹脂とセメント、更には砂、砂利等の骨材を混合した高分子重合コンクリート（ＰＣＣと称す）製にて長さ約１ｍとする。
金属製中間フレーム３は、亜鉛メッキ等の防錆処理を施すか、又、ｚａｍａｋ（ＪＩＳ  Ｈ２２０１／亜鉛合金）製としてもよい。【００１８】  この金属製中間フレーム３は、タイル、レンガ等の道路表面材Ｈａを支承する天板４であって、該天板４には雨水流入路Ｒを形成する小巾Ｘの左右縦片５を直立させると共に、亜鉛メッキ等の防錆処理を施された一定長さで、而も長手方向の両端面に側板６を溶接して構成されている。
更に金属製中間フレーム３の左右縦片５には全長に亘って前記道路表面材Ｈａと略同一面となる様、ステンレス製の左右グレーチング長尺材７を溶接して直立させ、一連の雨水流路Ｒとなる。
尚、実施例の図面においては、左右縦片５を金属製中間フレーム３の中央に直立位置させているが、勿論、左右の何れかに位置させてもよく、何ら限定するものではない。【００１９】  而して、この金属製中間フレーム３の両端面の側板６間に取外し用グレーチング格子枠８が載置され、且つ必要に応じ引き上げて外される。
具体的には、取外し用グレーチング格子枠８は、金属製中間フレーム３の左右グレーチング長尺材７間に同一長さのステンレス製の中間グレーチング長尺材９を一定間隔毎にて保持する様、複数個のステンレス製の格子片１０を溶接している。
これら金属製中間フレーム３の左右グレーチング長尺材７及び中間グレーチング長尺材９とで雨水流路Ｒを形成されると共に、タイル、レンガ等の道路表面材Ｈａと略同一面となる。
又、中間グレーチング長尺材９には格子片１０の位置決め用の切込９ａを設けている。【００２０】  而して、金属製中間フレーム３の両端面の側板６には、バネ板にて形成された受金片１１が固定されており、更に取外し用グレーチング格子枠８の格子片１０にはバネ板にて形成された挿入金片１２が夫々固定されており、受金片１１及び挿入金片１２はバネ板として、共にステンレス製が最も適するが、勿論、リン青銅でもよく、耐酸性のバネ材を用いる。【００２１】  具体的には、受金片１１は、基端１１ａを側板６に鋲止し、自由端１１ｂに凹部１１ｃを形成しており、挿入金片１２は、基端１２ａを格子片１０にスポット溶接し、自由端１２ｂに凸部１２ｃを形成して取外し用グレーチング格子枠８を押え込むことによって、挿入金片１２の凸部１２ｃを受金片１１の凹部１１ｃに圧入して両者凹部１１ｃ、凸部１２ｃが係合する。
而して、この受金片１１及び挿入金片１２は、図５に示す如く、夫々に切起片１１ｄ、１２ｄを設け、側板６及び中間グレーチング長尺材９に夫々係合孔６ａ、９ｂを設けて、圧入係合させてもよい。
【施工順序】
【００２２】  次に本発明に係る路上排水溝装置の施工順序を製造方法と併せて説明すると、図８は製造方法を示している。
先ず第１製造工程ブロックＡにおいて、Ｕ字型排水溝体１の上端開口部２に着座して閉塞し、タイル、レンガ等の道路表面材Ｈａを支承する亜鉛メッキ等の防錆処理の天板４と、この天板４に設けられた左右縦片５の上端に夫々溶接して直立するステンレス製の左右グレーチング長尺材７とで成し、夫々を予め工場にて製造し、ブロック化する。
【００２３】  次いで、第２製造工程ブロックＢにおいて、第１製造工程ブロックＡにおける天板４の長手方向の両端面に位置して該天板４の左右縦片５と、この左右縦片５に溶接される側板６と、更に該側板６に固定したバネ板にて形成された受金片１１とで成し、夫々を同様に、予めブロック化する。
【００２４】  続いて、第３製造ブロックＣにおいて、第１製造工程ブロックＡのステンレス製の左右グレーチング長尺材７間に平行対面して雨水流路Ｒを形成する複数本の中間グレーチング長尺材９と、該中間グレーチング長尺材９を一定間隔にて保持する様、溶接する複数個の格子片１０と、更に該格子片１０に固定される共に、第２製造工程ブロックＢの受金片１１に圧入するバネ板にて形成された挿入金片１２とで成し、夫々を同様に、予めブロック化する。
【００２５】  勿論、これら第１製造工程ブロックＡ、第２製造工程ブロックＢ、第３製造ブロックＣは、実施例を説明する上で順序を特定したものであって、各ブロック毎に製造すればよく、特に前後の順序関係を限定したものではない。
【００２６】  次に路上排水溝装置の施工順序を説明すると、図２に示す如く、先ずＵ字型排水溝体１をモルタルＭにて固定し、その後Ｕ字型排水溝体１の上端開口部２に金属製中間フレーム３を被せて閉塞する。
【００２７】  而して、この金属製中間フレーム３は、その左右縦片５に金属製ステンレス製の左右グレーチング長尺材７が溶接されており、この左右グレーチング長尺材７と前記道路表面材Ｈａと略同一面となる。即ち、Ｕ字型排水溝体１と共に路面Ｈに埋設された状態となる。
【００２８】  続いて、金属製中間フレーム３の両端面の側板６間に取外し用グレーチング格子枠８を位置させると共に、該取外し用グレーチング格子枠８を押し下げることによって、図６に示す如く、取外し用グレーチング格子枠８に設けられた挿入金片１２の凸部１２ｃが金属製中間フレーム３の両端面の側板６に設けられた受金片１１の凹部１１ｃに圧入され、その両者１１、１２のバネ性にて強固に保持され、取外し用グレーチング格子枠８が所定位置にて堅固に取り付けられる。
【００２９】  この状態において、取外し用グレーチング格子枠８を取り外す場合は、図７に示す如く、格子片１０に取外し用具Ｚを引掛けると共に、引き上げることによって挿入金片１２を引き外して、取外し用グレーチング格子枠８を取り外す。
勿論、受金片１１及び挿入金片１２はバネ板にて形成されているから、再度の着脱に耐えうることとなる。
【符号の説明】Ｈ    路面
Ｒ    雨水流入路
Ａ    第１製造工程ブロック
Ｂ    第２製造工程ブロック
Ｃ    第３製造ブロックＣ
１    Ｕ字型排水溝体
２    上端開口部
３    金属製中間フレーム
４    天板
５    左右縦片
６    側板
７    グレーチング長尺材
８    取外し用グレーチング格子枠
９    中間グレーチング長尺材
１０  格子片
１１  受金片
１２  挿入金片
【図１】
2013181386.tif 000003
【図２】
2013181386.tif 000004
【図３】
2013181386.tif 000005
【図４】
2013181386.tif 000006
【図５】
2013181386.tif 000007
【図６】
2013181386.tif 000008
【図７】
2013181386.tif 000009
【図８】
2013181386.tif 000010
【手続補正書】
【提出日】平成24年4月19日(2012.4.19)
【手続補正１】
【補正対象書類名】明細書
【補正対象項目名】００１６
【補正方法】変更
【補正の内容】
【００１６】
【図１】路上排水溝装置の平面図
【図２】同上の断面側面図
【図３】同上の分解斜視図
【図４】同上の拡大部分分解斜視図
【図５】同上の異なる実施例を示す分解斜視図
【図６】中間グレーチング長尺材の取付状態図
【図７】同上の引外し状態図
【図８】同上の製造工程図